(57)【要約】【課題】手元部において長尺体の向きを判別できる持手部材と医療デバイス及び処置方法を提供する。【解決手段】生体に挿入される少なくとも先端部に一つの方向を示す形状部１０ａを有する長尺体１０と、長尺体１０の手元部に着脱可能な持手部材２０と、を有する医療デバイスであって、長尺体１０は、周方向の向きを示す長尺体側表示部１１を有し、持手部材２０は、長尺体１０の形状部１０ａに対応して設けられる持手部材側表示部２１と、持手部材側表示部２１の周方向位置に対する持手部材２０の周方向位置を表示する向き表示部２２とを有する医療デバイスである。【選択図】図４
2020146191.tif 000002
【特許請求の範囲】
【請求項１】
生体に挿入される少なくとも先端部に一つの方向を示す形状部を有する長尺体の手元部に着脱可能な持手部材であって、
前記長尺体の形状部に対応して設けられる持手部材側表示部と、該持手部材側表示部の周方向位置に対する前記持手部材の周方向位置を表示する向き表示部とを有する持手部材。
【請求項２】
前記長尺体は、周方向の向きを示す長尺体側表示部を有する請求項１に記載の持手部材。
【請求項３】
前記長尺体側表示部は、前記長尺体の手元部に表示されるマーカーである請求項２に記載の持手部材。
【請求項４】
前記長尺体側表示部は、前記長尺体の周方向一定の方向を向く形状により形成される請求項２に記載の持手部材。
【請求項５】
前記向き表示部は、前記持手部材の周方向に沿って複数表示されそれぞれ異なる形状を有するマーカーである請求項１〜４のいずれか１項に記載の持手部材。
【請求項６】
周方向に複数の平面部を有し、各平面部に前記向き表示部が形成される請求項１〜５のいずれか１項に記載の持手部材。
【請求項７】
生体に挿入される少なくとも先端部に一つの方向を示す形状部を有する長尺体と、該長尺体の手元部に着脱可能な持手部材と、を有する医療デバイスであって、
前記長尺体は、周方向の向きを示す長尺体側表示部を有し、
前記持手部材は、前記長尺体の形状部に対応して設けられる持手部材側表示部と、該持手部材側表示部の周方向位置に対する前記持手部材の周方向位置を表示する向き表示部とを有する医療デバイス。
【請求項８】
生体に挿入される少なくとも先端部に一つの方向を示す形状部を有する長尺体と、該長尺体の手元部に着脱可能な持手部材と、を有する医療デバイスを用いた処置方法であって、
前記長尺体は、周方向の向きを示す長尺体側表示部を有し、前記持手部材は、前記長尺体の形状部に対応して設けられる持手部材側表示部と、該持手部材側表示部の周方向位置に対する前記持手部材の周方向位置を表示する向き表示部とを有しており、
前記長尺体側表示部に前記持手部材側表示部を周方向において合わせた状態で前記持手部材を前記長尺体に取付け、
前記長尺体を生体内に挿入し、前記向き表示部の向きによって前記長尺体の生体内における向きを判別する処置方法。
【発明の詳細な説明】
【技術分野】
【０００１】
本発明は、処置のために生体内に挿入される長尺体と該長尺体の手元部に取付けられる持手部材とを有する持手部材、医療デバイス及びそれを用いた処置方法に関する。
【背景技術】
【０００２】
生体管腔内にカテーテルを挿入する際、カテーテルを生体管腔の目的部位まで誘導する長尺体として、ガイドワイヤが用いられる。ガイドワイヤは、カテーテルの軸方向に沿って挿通可能となる長尺状に形成されており、カテーテルに先行して生体管腔内に挿入され、カテーテルの挿入を案内する。また、ガイドワイヤは、内視鏡を案内することにも用いられる。
【０００３】
生体管腔は屈曲、分岐しているため、ガイドワイヤの生体管腔への挿入時には、ガイドワイヤを前進、後退、回転させる操作が必要となる。ガイドワイヤは、そのままでは小径であるため保持しづらく、操作しにくい。そこで、ガイドワイヤの手元部に取付けて操作しやすくするための持手部材が知られている。持手部材としては例えば特許文献１に挙げるようなものがある。
【先行技術文献】
【特許文献】
【０００４】
【特許文献１】特開２０１１−６２５２２号公報
【発明の概要】
【発明が解決しようとする課題】
【０００５】
ガイドワイヤには、先端部に屈曲形状を持たせることが多い。ガイドワイヤを生体管腔内に挿入する際には、ガイドワイヤの先端部の屈曲形状がどの方向を向いているかを把握することで、操作を容易にすることができる。また、ガイドワイヤに限らず、生体内に挿入される長尺体においては、その先端部の向きを把握することで、生体内での操作を容易にすることができる。
【０００６】
本発明は、上述した課題を解決するためになされたものであり、手元部において長尺体の向きを判別できる持手部材、医療デバイス及び処置方法を提供することを目的とする。
【課題を解決するための手段】
【０００７】
上記目的を達成する本発明に係る持手部材は、生体に挿入される少なくとも先端部に一つの方向を示す形状部を有する長尺体の手元部に着脱可能な持手部材であって、
前記長尺体の形状部に対応して設けられる持手部材側表示部と、該持手部材側表示部の周方向位置に対する前記持手部材の周方向位置を表示する向き表示部とを有する。
【０００８】
上記目的を達成する本発明に係る医療デバイスは、生体に挿入される少なくとも先端部に一つの方向を示す形状部を有する長尺体と、該長尺体の手元部に着脱可能な持手部材と、を有する医療デバイスであって、
前記長尺体は、周方向の向きを示す長尺体側表示部を有し、
前記持手部材は、前記長尺体の形状部に対応して設けられる持手部材側表示部と、該持手部材側表示部の周方向位置に対する前記持手部材の周方向位置を表示する向き表示部とを有する。
【０００９】
上記目的を達成する本発明に係る処置方法は、生体に挿入される少なくとも先端部に一つの方向を示す形状部を有する長尺体と、該長尺体の手元部に着脱可能な持手部材と、を有する医療デバイスを用いた処置方法であって、
前記長尺体は、周方向の向きを示す長尺体側表示部を有し、前記持手部材は、前記長尺体の形状部に対応して設けられる持手部材側表示部と、該持手部材側表示部の周方向位置に対する前記持手部材の周方向位置を表示する向き表示部とを有しており、
前記長尺体側表示部に前記持手部材側表示部を周方向において合わせた状態で前記持手部材を前記長尺体に取付け、
前記長尺体を生体内に挿入し、前記向き表示部の向きによって前記長尺体の生体内における向きを判別する。
【発明の効果】
【００１０】
上記のように構成した持手部材は、長尺体の形状部に対応した持手部材側表示部と向き表示部とを有するので、向き表示部によって長尺体の周方向の向きを判別することができ、長尺体を生体内に挿入した状態でも手元部でその向きを判別することができる。
【００１１】
前記長尺体は、周方向の向きを示す長尺体側表示部を有するようにしてもよい。これにより、持手部材側表示部と長尺体側表示部の周方向位置を合わせることで、向き表示部と長尺体の形状部との周方向における位置関係を簡単に設定できる。
【００１２】
前記長尺体側表示部は、前記長尺体の手元部に表示されるマーカーであるようにしてもよい。これにより、長尺体側表示部を簡単に形成できると共に、持手部材側表示部と周方向の位置を簡単に合わせることができる。
【００１３】
前記長尺体側表示部は、前記長尺体の周方向一定の方向を向く形状により形成されるようにしてもよい。これにより、長尺体側表示部を大きくすることで向きを視認しやすくして、持手部材側表示部と周方向の位置を合わせやすくすることができる。
【００１４】
前記向き表示部は、前記持手部材の周方向に沿って複数表示されそれぞれ異なる形状を有するマーカーであるようにしてもよい。これにより、手元で表示されるマーカーの形態により、長尺体の向きを容易に判別することができる。
【００１５】
周方向に複数の平面部を有し、各平面部に前記向き表示部が形成されるようにしてもよい。これにより、持手部材の向きをより明確に視認でき、長尺体の向きも正確に判別することができる。
【００１６】
上記のように構成した医療デバイスは、長尺体側表示部と持手部材側表示部の周方向位置を合わせて長尺体を持手部材に固定することで、向き表示部によって長尺体の周方向の向きを判別することができ、長尺体を生体内に挿入した状態でも手元部でその向きを判別することができる。
【００１７】
上記のように構成した処置方法は、向き表示部によって長尺体の周方向の向きを判別できるので、長尺体の生体内での状態を簡単に把握でき、手技の効率化を図ることができる。
【図面の簡単な説明】
【００１８】
【図１】本実施形態の医療デバイスを構成する持手部材の斜視図である。
【図２】図１の持手部材の断面図である。
【図３】縮径部を縮径させガイドワイヤを保持した状態の持手部材の断面図である。
【図４】長尺体側表示部と持手部材側表示部の周方向の向きを合わせた状態の医療デバイスの正面図である。
【図５】図４の状態から持手部材を６０度回転させた状態の正面図である。
【図６】図５の状態から持手部材を６０度回転させた状態の正面図である。
【図７】長尺体側表示部と持手部材側表示部の周方向の向きを合わせた状態の第２の実施形態の医療デバイスの正面図である。
【図８】図７の状態から持手部材を９０度回転させた状態の正面図である。
【図９】図８の状態から持手部材を９０度回転させた状態の正面図である。
【発明を実施するための形態】
【００１９】
以下、図面を参照して、本発明の実施の形態を説明する。なお、図面の寸法比率は、説明の都合上、誇張されて実際の比率とは異なる場合がある。
【００２０】
本発明の実施形態に係る医療デバイスは、生体管腔に挿入されるガイドワイヤ１０と、その手元部に取付けられる持手部材２０とを有している。持手部材２０は、術者によるガイドワイヤ１０の操作性を良好にするためのものである。
【００２１】
図１に示すように、本実施形態の持手部材２０は、第１部材３０と第２部材３１とを一体化して形成されている。また、持手部材２０は、第１部材３９と第２部材３１とが一体化した状態で、ガイドワイヤ１０を挿通可能な空間部３５が全長に渡って連続するように形成されている。
【００２２】
第１部材３０と第２部材３１は、互いに回転可能であると共に、回転に伴い長さ方向に沿って互いに移動する。第１部材３０と第２部材３１とが長さ方向に互いに移動することにより、後述するように空間部３５に挿通させたガイドワイヤ１０を保持することができる。
【００２３】
図２に示すように、第１部材３０は、外部に面する外周面４０と、空間部３５に面する内周面４１とを有している。内周面４１には、第２部材３１を螺合させるためのネジ山である内周螺子面４２が形成されている。
【００２４】
第１部材３０は、空間部３５内の端部に筒状の縮径部４５を有している。縮径部４５は、ゴム等の弾性を有する材料で形成されている。縮径部４５の外周面４６は、第１部材３０の内周面４１に当接している。また、縮径部４５の内周面４７は、ガイドワイヤ１０より大径に形成されており、図１，２の状態においてガイドワイヤ１０を挿通させることができる。
【００２５】
第２部材３１は、第１部材３０の内径に略適合する外周面５０を有しており、第１部材３０から露出する端部側の外径は第１部材３０内の外周面５０より小径状に形成されている。第２部材３１の外周面５０は、第１部材３０の内周螺子面４２に螺合する外周螺子面５１を有している。
【００２６】
第２部材３１の第１部材３０内の端部には、端面側に向かって内径が大きくなるように形成されたテーパ面部５４が形成されている。テーパ面部５４は縮径部４５の端部外周面である押圧面部４８に当接している。縮径部４５の押圧面部４８は、テーパ面部５４と同じ方向に傾斜しており、ガイドワイヤ１０の長さ方向に移動することにより、テーパ面部５４によって内周側に向かって押圧される。
【００２７】
図３に示すように、第１部材３０と第２部材３１とを互いに回転させ、第２部材３１が第１部材３０の内部により入り込むように長さ方向に移動させると、縮径部４５の押圧面部４８が第２部材３１のテーパ面部５４によって内周側に押圧される。これに伴い、縮径部４５は内周側に向かって変形し、内径が小さくなり、ガイドワイヤ１０は縮径部４５によって保持される。これにより、ガイドワイヤ１０は持手部材２０に対して長さ方向及び径方向に固定され、術者が持手部材２０を介してガイドワイヤ１０を進退及び回転操作することができる。
【００２８】
図４に示すように、ガイドワイヤ１０の手元側の基端部には、長尺体側表示部１１が設けられている。長尺体側表示部１１は、ガイドワイヤ１０の周方向位置を表示するマーカーであり、周方向の１箇所に形成される。ガイドワイヤ１０は、生体に挿入される側の先端部に、形状部として先端屈曲部１０ａが形成される。先端屈曲部１０ａは、ガイドワイヤ１０が一方向に屈曲して形成されており、周方向における方向性を有している。先端屈曲部１０が形成されると、長尺体側表示部１１との周方向における位置関係は、ガイドワイヤ１０の周方向の向きに関わらず一定となる。
【００２９】
持手部材２０の第２部材３１には、端部付近に持手部材側表示部２１が設けられている。持手部材側表示部２１は、持手部材２０の周方向位置を表示するマーカーであり、周方向の１箇所に形成される。持手部材２０に挿通させたガイドワイヤ１０の長尺体側表示部１１と持手部材側表示部２１の周方向位置を合わせることにより、ガイドワイヤ１０と持手部材２０の周方向における位置関係を一定とすることができる。
【００３０】
持手部材２０の第１部材３０には、周方向に複数の向き表示部２２が設けられる。向き表示部２２は、第１部材３０に設けられるため、第２部材３１に設けられる持手部材側表示部２１とは長さ方向において異なる位置に形成されている。複数の向き表示部２２は、それぞれが異なる形状を有するマーカーであり、持手部材側表示部２１との周方向における位置関係を表している。持手部材側表示部２１と長尺体側表示部１１とが周方向位置を合わせた状態では、向き表示部２２はガイドワイヤ１０との周方向における位置関係を表していることになる。
【００３１】
持手部材２０の第１部材３０は、外周面４０がナットの形状を有しており、周方向に沿って６つの平面を有している。これら６つの平面は、周方向において隣接する平面と６０度ずつ異なる方向を向いている。図４には、この６面のうち、第１面４０ａと第２面４０ｂ、及び第６面４０ｆが表れている。向き表示部２２は、外周面４０の各面にそれぞれ設けられている。第１面４０ａには、円形状の第１マーカー２２ａが設けられている。第２面４０ｂには、手元側を向く三角形状の第２マーカー２２ｂが設けられている。第６面４０ｆには、先端側を向く三角形状の第６マーカー２２ｆが設けられている。
【００３２】
図４に示されているように、持手部材側表示部２１と長尺体側表示部１１の周方向位置を合わせた状態で、第１面４０ａの第１マーカー２２ａが正面にある場合、術者が向く方向Ｌを基準にすると、ガイドワイヤ１０の先端屈曲部１０ａは、左側を向いた状態である。
【００３３】
図４の状態から持手部材２０を術者が基端を把持して先端屈曲部１０ａを見た場合、すなわち術者が向く方向Ｌに見て時計回りに６０度回転させると、図５に示すように、第２面４０ｂの第２マーカー２２ｂが正面に配置され、術者が向く方向Ｌを基準にすると、ガイドワイヤ１０の先端屈曲部１０ａは、左斜め上方を向いた状態である。図５の状態では、第１部材３０の外周面４０のうち、第１面４０ａと第２面４０ｂ及び第３面４０ｃが見えた状態となっている。第３面４０ｃには、星形形状の第３マーカー２２ｃが設けられている。
【００３４】
図５の状態から持手部材２０を術者が向く方向Ｌに見て時計回りに６０度回転させると、図６に示すように、第３面４０ｃの第３マーカー２２ｃが正面に配置され、術者が向く方向Ｌを基準にすると、ガイドワイヤ１０の先端屈曲部１０ａは、右斜め上方を向いた状態である。図６の状態では、第１部材３０の外周面４０のうち、第２面４０ｂと第３面４０ｃ及び第４面４０ｄが見えた状態となっている。第４面４０ｄには、菱形形状の第４マーカー２２ｄが設けられている。
【００３５】
持手部材２０を図３〜５以外の方向に向けた場合にも、各方向に表示された向き表示部２２により、ガイドワイヤ１０の周方向における向きを判別することができる。
【００３６】
このように、持手部材２０の周方向に沿って複数箇所に向き表示部２２が形成されていることにより、ガイドワイヤ１０と持手部材２０との周方向における位置関係を、向き表示部２２の図形形状から判別することができる。これにより、ガイドワイヤ１０が生体内に挿入された状態でも、持手部材２０において向き表示部２２を確認することで、ガイドワイヤ１０の周方向の向きを容易に判別できる。
【００３７】
本実施形態の医療デバイスを使用して処置を行う際には、ガイドワイヤ１０の挿入前において、持手部材２０とガイドワイヤ１０の周方向の位置合わせを行う。この位置合わせは、長尺体側表示部１１と持手部材側表示部２１の周方向位置を合わせることによって行われる。持手部材２０とガイドワイヤ１０の周方向の位置合わせがされたら、持手部材２０の第１部材３０と第２部材３１とを互いに回転させることで、縮径部４５を縮径させ、持手部材２０によりガイドワイヤ１０を保持する。
【００３８】
持手部材２０でガイドワイヤ１０を保持したら、ガイドワイヤ１０を生体内に挿入していく。この際、術者は持手部材２０を手で持ってガイドワイヤ１０の操作を行うことができる。また、持手部材２０の向き表示部２２の向きによって、ガイドワイヤ１０の生体内における向きを判別する。これにより、ガイドワイヤ１０を生体内において操作しやすくすることができる。
【００３９】
次に、本発明の第２の実施形態について説明する。図７に示すように、本実施形態の医療デバイスは、ガイドワイヤ１５と持手部材２０を有している。持手部材２０は第１の実施形態の医療デバイスにおける持手部材２０と同じであるので、説明を省略する。
【００４０】
ガイドワイヤ１５は、生体に挿入される側の先端部に先端屈曲部１５ａを有している。また、ガイドワイヤ１５の手元側の端部には、ジグザグ形状を有する長尺体側表示部１６が形成されている。長尺体側表示部１６は、ガイドワイヤ１５の周方向において一定の方向を向くジグザグ形状として形成されており、このジグザグ形状の向きにより、ガイドワイヤ１５の周方向の向きを示している。
【００４１】
ガイドワイヤ１５の長尺体側表示部１６は、第１の実施形態と同様、持手部材側表示部２１と周方向位置を合わせることで、ガイドワイヤ１５と持手部材２０との周方向の位置関係を一定のものとすることができる。図７のように、本実施形態では、持手部材側表示部２１が正面を向いた状態で、長尺体側表示部１６は、持手部材側表示部２１が向かう方向と直交する方向に凹凸が向くように向きを合わせられる。この状態で、術者が向く方向Ｌを基準にすると、ガイドワイヤ１５の先端屈曲部１５ａは、左側を向いた状態である。
【００４２】
図７の状態から持手部材２０を術者が向く方向Ｌに見て時計回りに９０度回転させると、図８に示すように、第２面４０ｂの第２マーカー２２ｂと第３面３０ｃの第３マーカー２２ｃとが正面側から見える状態となる。術者が向く方向Ｌを基準にすると、図８においてガイドワイヤ１５の先端屈曲部１５ａは、上方（紙面手前側）を向いた状態である。
【００４３】
図８の状態から持手部材２０を術者が向く方向Ｌに見て時計回りに９０度回転させると、図９に示すように、第３面３０ｃと第４面３０ｄ及び第５面３０ｅが正面側から見える状態となる。術者が向く方向Ｌを基準にすると、図９においてガイドワイヤ１５の先端屈曲部１５ａは、右側を向いた状態である。
【００４４】
このように、第２の実施形態においても、長尺体側表示部１６と持手部材側表示部２１の周方向の向きを合わせることで、向き表示部２２によってガイドワイヤ１５の周方向の向きを判別することができる。ガイドワイヤ１５は一般的に細径であるため、長尺体側表示部１６がガイドワイヤ１５の一方向に向かう形状によって形成されることで、マーカーの場合より向きをより視認しやすく、長尺体側表示部１６と持手部材側表示部２１の周方向の向きを合わせやすくすることができる。
【００４５】
以上のように、本実施形態に係る持手部材２０は、生体に挿入される少なくとも先端部に一つの方向を示す形状部１０ａを有する長尺体１０の手元部に着脱可能な持手部材２０であって、長尺体１０の形状部１０ａに対応して設けられる持手部材側表示部２１と、持手部材側表示部２１の周方向位置に対する持手部材２０の周方向位置を表示する向き表示部２２とを有する。これにより、長尺体１０の形状部１０ａに対応した持手部材側表示部２１と向き表示部２２とを有するので、向き表示部２２によって長尺体１０の周方向の向きを判別することができ、長尺体１０を生体内に挿入した状態でも手元部でその向きを判別することができる。
【００４６】
また、長尺体１０は、周方向の向きを示す長尺体側表示部１１を有するようにしてもよい。これにより、持手部材側表示部２１と長尺体側表示部１１の周方向位置を合わせることで、向き表示部２２と長尺体１０の形状部１０ａとの周方向における位置関係を簡単に設定できる。
【００４７】
また、長尺体側表示部１１は、長尺体１０の手元部に表示されるマーカーであるようにしてもよい。これにより、長尺体側表示部１１を簡単に形成できると共に、持手部材側表示部２１と周方向の位置を簡単に合わせることができる。
【００４８】
また、長尺体側表示部１１は、長尺体１０の周方向一定の方向を向く形状により形成されるようにしてもよい。これにより、長尺体側表示部１１を大きくすることで向きを視認しやすくして、持手部材側表示部２１と周方向の位置を合わせやすくすることができる。
【００４９】
また、向き表示部２２は、持手部材２０の周方向に沿って複数表示されそれぞれ異なる形状を有するマーカーであるようにしてもよい。これにより、手元で表示されるマーカーの形態により、長尺体１０の向きを容易に判別することができる。
【００５０】
また、周方向に複数の平面部を有し、各平面部に向き表示部２２が形成されるようにしてもよい。これにより、持手部材２０の向きをより明確に視認でき、長尺体１０の向きも正確に判別することができる。
【００５１】
また、本実施形態に係る医療デバイスは、生体に挿入される少なくとも先端部に一つの方向を示す形状部１０ａを有する長尺体１０と、長尺体１０の手元部に着脱可能な持手部材２０と、を有する医療デバイスであって、長尺体１０は、周方向の向きを示す長尺体側表示部１１を有し、持手部材２０は、長尺体１０の形状部１０ａに対応して設けられる持手部材側表示部２１と、持手部材側表示部２１の周方向位置に対する持手部材２０の周方向位置を表示する向き表示部２２とを有する。これにより、長尺体側表示部１１と持手部材側表示部２１の周方向位置を合わせて長尺体１０を持手部材２０に固定することで、向き表示部２２によって長尺体１０の周方向の向きを判別することができ、長尺体１０を生体内に挿入した状態でも手元部でその向きを判別することができる。
【００５２】
また、本実施形態に係る処置方法は、生体に挿入される少なくとも先端部に一つの方向を示す形状部１０ａを有する長尺体１０と、長尺体１０の手元部に着脱可能な持手部材２０と、を有する医療デバイスを用いた処置方法であって、長尺体１０は、周方向の向きを示す長尺体側表示部１１を有し、持手部材２０は、長尺体１０の形状部１０ａに対応して設けられる持手部材側表示部２１と、持手部材側表示部２１の周方向位置に対する持手部材２０の周方向位置を表示する向き表示部２２とを有しており、長尺体側表示部１１に持手部材側表示部２１を周方向において合わせた状態で持手部材２０を長尺体１０に取付け、長尺体１０を生体内に挿入し、向き表示部２２の向きによって長尺体１０の生体内における向きを判別する。これにより、向き表示部２２によって長尺体１０の周方向の向きを判別できるので、長尺体１０の生体内での状態を簡単に把握でき、手技の効率化を図ることができる。
【００５３】
なお、本発明は、上述した実施形態のみに限定されるものではなく、本発明の技術的思想内において当業者により種々変更が可能である。上述の実施形態において長尺体はガイドワイヤ１０であるが、長尺体は長さ方向に長尺な部材であり、進退及び回転操作されるものであれば、ガイドワイヤ１０には限られない。例えば、長尺体はカテーテルであってもよい。
【００５４】
また、持手部材２０が長尺体を固定する構造及び外観形状は、本実施形態には限られず、長尺体を固定できると共に、持手部材側表示部を設けられるものであればよい。また、持手部材２０は、空間部３５と外部とを径方向において連通させる開口部を有していてもよい。開口部は、第１部材３０と第２部材３１に渡って連続するように形成される。これにより、ガイドワイヤ１０を持手部材２０の径方向から空間部３５に挿入することができ、ガイドワイヤ１０の持手部材２０に対する取付を容易にすることができる。
【００５５】
また、長尺体側表示部１１や持手部材側表示部２１、向き表示部２２を形成するマーカーの形態は、上述の実施形態に限られず、任意に設定することができる。これらのマーカーは、図形だけでなく、色、文字、触感で判別できる凹凸とすることもできる。さらに、向き表示部２２の周方向の数についても、上述の実施形態の６つには限られず、必要に応じて任意に設定できる。あるいは、術者が向く方向Ｌに見て反時計回りに回して判別してもよい。
【００５６】
また、向き表示部２２の表示位置については、持手部材側表示部２１と異なる長さ方向位置にあればよく、例えば第２部材３１のうち、第１部材３０側に向かって拡径する傾斜面の部分などに設けてもよい。
【符号の説明】
【００５７】
１０    ガイドワイヤ
１１    長尺体側表示部
１５    ガイドワイヤ
１６    長尺体側表示部
２０    持手部材
２１    持手部材側表示部
２２    向き表示部
３０    第１部材
３１    第２部材
３５    空間部
４０    外周面
４１    内周面
４２    内周螺子面
４５    縮径部
４６    外周面
４７    内周面
４８    押圧面部
５０    外周面
５１    外周螺子面
５２    内周面
５３    先端部
５４    テーパ面部
【図１】
2020146191.tif 000003
【図２】
2020146191.tif 000004
【図３】
2020146191.tif 000005
【図４】
2020146191.tif 000006
【図５】
2020146191.tif 000007
【図６】
2020146191.tif 000008
【図７】
2020146191.tif 000009
【図８】
2020146191.tif 000010
【図９】
2020146191.tif 000011